(57)【要約】【課題】      組立て・設置が容易であり、収納するＡＶ機器などの物品の収納レイアウトを自由に変更することができると共に、美観にも優れた収納キャビネットを提供する。【解決手段】  収納部１４が任意の高さにて側板１２どうしを繋ぐようにしている、つまり側板１２の上下方向における収納部１４の取付け位置を所望の位置(高さ)に設定することができるので、ＡＶ機器などの物品の収納レイアウトを自由に変更することができる。また、このように左右一対の側板１２が収納部１４で架設されているので、下地工事が不要な自立式の収納キャビネット１０を得ることができる。さらに、背板１６は釘やビスなどの固定手段３４を介してその表面に重量物を固定することができるので、背板１６表面の所望の位置に壁掛け式の大画面薄型テレビや棚板３６などを固定することができる。【選択図】  図４
2007021003.tif 000002
【特許請求の範囲】
【請求項１】
収納空間の両側を形成する左右一対の側板と、
前記側板間に架設され、その左右両端部で前記側板どうしを繋ぐ筺体状の収納部と、
前記側板間の背面側に架設され、釘やビスなどの固定手段を介してその表面に固定された重量物を保持する背板とで構成された収納キャビネットであって、
前記収納部が任意の高さにて前記側板どうしを繋ぐようにしたことを特徴とする収納キャビネット。
【請求項２】
前記側板の下端には、その先端が前記収納部の前面よりも前方に延ばされた支持脚が設けられていることを特徴とする請求項１に記載の収納キャビネット。
【請求項３】
前記背板の背面が前記側板の幅方向後端よりも前方に位置するように配設して、前記背板の背面側に配線収納空間を設けたことを特徴とする請求項１又は２に記載の収納キャビネット。
【請求項４】
前記側板には複数の取付孔が上下方向に所定の間隔で穿設されると共に、前記側板外表面をカバーする化粧面材が取付けられていることを特徴とする請求項１乃至３のいずれかに記載の収納キャビネット。
【発明の詳細な説明】
【技術分野】
【０００１】
本発明は、オーディオビジュアル機器（以下、「ＡＶ機器」という。）等の物品を機能的に収納することができる収納キャビネットに関する。
【背景技術】
【０００２】
近年、住宅のリビングルームに大画面薄型テレビやＶＴＲ，ＤＶＤプレイヤーなどのＡＶ機器を設置し、リビングルームをホームシアターとして活用する家庭が増えている。かかる状況を踏まえ、ＡＶ機器を機能的に収納できる収納キャビネットが提案されている。
【０００３】
このような収納キャビネットの一例として、ＡＶ機器を収納する箱状の機器収納部と、該機器収納部の上に設けられ、かつスピーカー等を配置すると共に物品を展示した状態で収納する展示収納部とを具備してなり、前記展示収納部の背面側を覆う背板が中空部を有する二重構造に形成されると共に、当該中空部が前記機器収納部の空間部に連通されている収納キャビネットが提案されている（例えば、特許文献１参照。）。
【０００４】
かかる技術によれば、中空部にＡＶ機器の配線を通すことによって美観を損なうことなくＡＶ機器の配線を行なうことができると共に、ＡＶ機器が発する熱を、背板の中空部内で発生する上昇気流により、効率よく排出することができる。
【特許文献１】特開平５−１２３２２６号公報
【発明の開示】
【発明が解決しようとする課題】
【０００５】
しかしながら、上述の収納キャビネットは基本的にボックス(筺体)を並べて積み上げたものであり、テレビの設置位置は機器収納部天板上の物品収納部に囲まれた空間に限定されている。このため、設置するテレビの大きさに限界があると共に、テレビの大きさや人の座る位置によってテレビが見難くなるという問題があった。
【０００６】
さらに、テレビを適正な高さに配置するため、下段の機器収納部を床面から浮かせて施工しようとした場合、この収納キャビネットでは機器収納部を自立させることができないので、機器収納部が所定の高さとなるように位置決めして当該キャビネットを壁面に固定しなければならない。このように収納キャビネットを壁面に固定するためには、壁面に木下地が必要であり、木下地と収納部の位置が合わない場合には新たに木下地を設ける等の工事が必要になるという問題があった。
【０００７】
それゆえに、本発明の主たる課題は、組立て・設置が容易であり、収納するＡＶ機器などの物品の収納レイアウトを自由に変更することができると共に、美観にも優れた収納キャビネットを提供することである。
【課題を解決するための手段】
【０００８】
請求項１に記載した発明は、「収納空間の両側を形成する左右一対の側板１２と、側板１２間に架設され、その左右両端部で側板１２どうしを繋ぐ筺体状の収納部１４と、側板１２間の背面側に架設され、釘やビスなどの固定手段３４を介してその表面に固定された重量物を保持する背板１６とで構成された収納キャビネット１０であって、収納部１４が任意の高さにて側板１２どうしを繋ぐようにした」ことを特徴とする収納キャビネット１０である。
【０００９】
この発明では、収納部１４が任意の高さにて側板１２どうしを繋ぐようにしている、つまり側板１２の上下方向における収納部１４の取付け位置を所望の位置(高さ)に設定することができるので、ＡＶ機器などの物品の収納レイアウトを自由に変更することができる。また、このように左右一対の側板１２が収納部１４で架設されているので、下地工事が不要な自立式の収納キャビネット１０を得ることができる。
【００１０】
さらに、背板１６は釘やビスなどの固定手段３４を介してその表面に重量物を固定することができるので、背板１６表面の所望の位置に壁掛け式の大画面薄型テレビや棚板３６などを固定することができる。
【００１１】
請求項２に記載した発明は、請求項１に記載の収納キャビネット１０において、「側板１２の下端には、その先端が収納部１４の前面よりも前方に延ばされた支持脚２６が設けられている」ことを特徴とするもので、これにより、収納部１４を側板１２の上部に取付けた場合であっても収納キャビネット１０が前方に向けて転倒するのを防止することができる。
【００１２】
請求項３に記載した発明は、請求項１または２に記載の収納キャビネット１０において、「背板１６の背面が側板１２の幅方向後端よりも前方に位置するように配設して、背板１６の背面側に配線収納空間Ｓを設けた」ことを特徴とするもので、これにより、ＡＶ機器の配線が外に現れず見映えを良くすることができると共に、配線が収納物に引っ掛かるのを防止することができる。また、収納キャビネット１０を壁に密着させて設置する際に配線が邪魔になる心配はない。
【００１３】
請求項４に記載した発明は、請求項１乃至３のいずれかに記載の収納キャビネット１０において、「側板１２には複数の取付孔２０が上下方向に所定の間隔で穿設されると共に、側板１２外表面をカバーする化粧面材２４が取付けられている」ことを特徴とするものである。
【００１４】
このように側板１２には収納部１４や背板１６などを取付けるための複数の取付孔２０が上下方向に所定の間隔で穿設されているので、収納部１４や背板１６を側板１２の任意の高さ位置にて容易に取付けることができ、さらに、組立てた収納キャビネット１０を分解して再度構成や配置を変えて組立て直すことも容易に行なうことができる。
【００１５】
また、側板１２には側板１２の外表面をカバーする化粧面材２４が取付けられているので、前記取付孔２０を収納キャビネット１０の外側から視認できないよう目隠しして収納キャビネット１０の見映えを良くすることができると共に、化粧面材２４の色柄を変えることで、一種類の側板１２で各種の色柄に対応することが可能となる。
【発明の効果】
【００１６】
請求項１および２に記載の発明によれば、側板の上下方向における収納部の取付け位置を所望の位置(高さ)に設定することができるので、ＡＶ機器の収納レイアウトを自由に変更することができる。また、このように構成された収納キャビネットは自立式のものとなっているので、壁下地の位置に関係なく室内のあらゆる場所に収納キャビネットを設置することができる。
【００１７】
請求項３に記載の発明によれば、収納キャビネットに収納するＡＶ機器の配線を収まりよく仕舞うことができる。
【００１８】
請求項４に記載の発明によれば、側板と収納部或いは背板との着脱を容易にすることができると共に、収納キャビネットを見映えよく装飾することができる。
【００１９】
したがって、本発明によれば、組立て・設置が容易であり、収納するＡＶ機器などの物品の収納レイアウトを自由に変更することができると共に、美観にも優れた収納キャビネットを提供することができる。
【発明を実施するための最良の形態】
【００２０】
以下、本発明を図面に従って詳述する。図１は本発明の一実施例の収納キャビネット１０を示す斜視図である。この図が示すように、本発明の収納キャビネット１０は、大略、左右一対の側板１２と、該側板１２間に架設された収納部１４と、同じく側板１２間に架設された背板１６とで構成されている。
【００２１】
側板１２は、アルミ押出板材やステンレス板材などの金属板材で構成され、収納キャビネット１０収納空間の両側を形成する左右一対の板状の部材である。
【００２２】
この側板１２の幅方向所定位置には、収納キャビネット１０の内面側に向けて側板１２の内側面が突出し、ネジや釘などを介して収納部１４や背板１６などを固定する断面略コ字状の固定部１８が上下方向(すなわち、側板１２の長手方向)全体に亘って複数列(本実施例では３列)設けられている。なお、この固定部１８は、断面略コ字状に限定されるものではないが、断面略コ字状であれば側板１２が収納部１４と部分的に接するのでガタツキなく強固に固定できると共に、ネジや釘の頭が外に露出しない。
【００２３】
また、固定部１８には、図３に示すように、上下方向全体に亘って所定の間隔で、前記ネジや釘などを挿通する複数の取付孔２０を穿設するのが好ましい。予めこのような取付孔２０を設けることによって、側板１２と収納部１４或いは側板１２と背板１６との着脱を容易にすることができるからである。
【００２４】
一方、この側板１２の幅方向両端部には、当該部分をカバーするように上下方向全体に亘って垂直片２２が設けられている。また、この垂直片２２における収容キャビネット１０外側の部分は、側板１２の外表面側に向けて略Ｌ字状に曲成され、当該曲成部分が、化粧面材２４を挟持する挟持片２２ａとなっている(図２参照)。つまり、この挟持片２２ａに化粧面材２４を差し込むだけで、簡単に側板１２の外表面に化粧面材２４を着脱することができる。ここで、化粧面材２４とは、側板１２の外表面側から固定部１８が視認できないようにカバーして装飾するための板状部材である。
【００２５】
そして、この側板１２の上下方向(すなわち、長手方向)下端部には、その先端が後述する収納部１４の前面よりもやや前方に延ばされた支持脚２６が設けられている。
【００２６】
なお、本実施例の収納キャビネット１０では、互いに対向する側板１２の上端部どうしがフラッシュ構造にて構成された天板２８で架設されている。また、この天板２８の上面後端には、金属などの高強度材料を略Ｌ字状に成形し、ボルトなどの固定手段を介して収納キャビネット１０を壁面に固定する転倒防止金具３０が装着されている。さらに、天板２８の下面には部分的な凹部２８ａが設けられており、当該凹部２８ａがスポットライトなどの照明器具を取付け可能な照明取付部となっている。
【００２７】
そして、この天板２８のやや下の位置には、フラッシュ構造の棚板３２ａと、この棚板３２ａの奥部に取付けられた蛍光灯などの長尺状の照明装置３２ｂと、この照明装置３２ｂの手前に立設され、照明装置３２ｂの発する直射光を遮り間接照明とする立板部材３２ｃとで構成された照明棚３２が、互いに対向する側板１２の内表面どうしを連結するように取付けられている。
【００２８】
収納部１４は、挽材,合板，木質繊維板(ＩＢ，ＭＤＦ等),木削片板(パーティクルボード，ストランドボード，ＯＳＢ等)，集成材などの剛性を有する木質材料で構成され、上面に薄型大画面テレビなどの重量物を載置できると共に、その前面側よりＡＶ機器(とりわけＶＴＲやＤＶＤプレイヤー)などの物品を出し入れすることが可能な筺体である。
【００２９】
この収納部１４の左右両端部は釘やビスなどの固定手段で任意の高さにて左右の両側板１２に固定されている。つまり、収納部１４の左右両端部が任意の高さで互いに対向する側板１２どうしを繋ぐようにしている。これにより、本実施例の収納キャビネット１０は自立式のものとなっている。
【００３０】
なお、この収納部１４の左右両側面の所定位置に予め鬼目ナット(図示せず)を埋め込んで置き、上述した取付孔２０を介してこの鬼目ナットにボルトを螺合するようにするのが好ましい。こうすることで側板１２への収納部１４の着脱、すなわち収納キャビネット１０の組立・分解をより一層容易にすることができる。
【００３１】
また、この収納部１４には開きや引き出しを適宜取付けることができる。図１に示す本実施例の収納キャビネット１０では、収納部の左右両端側に引き出し１４ａを設けると共に、中央部分にガラスの開き１４ｂを設けている。
【００３２】
そして、この収納部１４の背面にはＡＶ機器などの配線を取り出すための開孔(図示せず)が設けられている。
【００３３】
背板１６は、収納キャビネット１０の前面からその背面側が視認できないようにカバーすると共に、その表面にて重量物を保持する板状部材である。この背板１６は、挽材,合板，木質繊維板(ＩＢ，ＭＤＦ等),木削片板(パーティクルボード，ストランドボード，ＯＳＢ等)，集成材などの剛性を有する木質材料で構成されており、釘やビスなどの固定手段３４を介してその表面の所定位置で棚板３６や壁掛け式の薄型テレビなどの重量物を保持する(図３参照)。本実施例では、図３に示すように、背板１６表面の所定位置に固定手段３４で棚板挟持部材３８を取付け、この棚板挟持部材３８を介して背板１６表面に棚板３６を装着する例を示している。なお、図示しないが、背板１６に壁掛け式の薄型テレビを取付ける場合には、背板１６表面の所定位置に固定手段３４で取付金具を取付け、この取付金具を介して背板１６表面に当該テレビを固定する。
【００３４】
ここで、収納キャビネット１０が大きなものの場合には、１枚の背板１６で収納キャビネット１０の背面全体をカバーできないといった問題がある。このような場合には、図３に示すように、複数枚の背板１６をジョイナー４０で連結・固定することで、かかる問題を解決することができる。
【００３５】
この背板１６は、その側板固定側木口が釘やビスなどの固定手段によって側板１２の固定部１８に固定されているが、上述した収納部１４と同様に、当該側板固定側木口に予め鬼目ナットを埋め込んで置き、上述した取付孔２０を介してこの鬼目ナットにボルトを螺合するようにするのが好ましい。こうすることで側板１２への背板１６の着脱、すなわち収納キャビネット１０の組立・分解をより一層容易にすることができる。
【００３６】
なお、この背板１６は、側板１２の幅方向後端よりも前方に位置するように配設されており、背板１６の背面側に配線収納空間Ｓが設けられている。
【００３７】
次に、図４を参照して、以上のようにして構成された収納キャビネット１０の使用例を示す。本実施例の収納キャビネット１０を使用する際には、まず、室内の所望の位置に当該キャビネット１０を設置する。本実施例では、（図４に示すように、）収納キャビネット１０の背面を壁Ｗに密着させ、壁Ｗと収納キャビネット１０とを転倒防止金具３０で連結するようにした。そして、大画面薄型テレビＴを収納部１４の上面に載置し、ＤＶＤプレイヤーＶを収納部１４の中央部分に設けたガラスの開き１４ｂの中に収納すると共に、これらのＡＶ機器を配線収納空間Ｓに収容した配線(図示せず)で接続する。
【００３８】
本実施例の収納キャビネット１０によれば、収納部１４が任意の高さにて側板１２どうしを繋ぐようにしている、つまり側板１２の上下方向における収納部１４の取付け位置を所望の位置(高さ)に設定することができるので、ＡＶ機器などの物品の収納レイアウトを自由に変更することができる。また、このように左右一対の側板１２が収納部１４で架設されているので、下地工事が不要な自立式の収納キャビネット１０を得ることができる。
【００３９】
また、背板１６は釘やビスなどの固定手段３４を介してその表面に重量物を固定することができるので、背板１６表面の所望の位置に壁掛け式の大画面薄型テレビや棚板３６などを固定することができる。
【００４０】
また、側板１２の下端に、その先端が収納部１４の前面よりも前方に延ばされた支持脚２６を設けるようにすれば、収納部１４を側板１２の上部に取付けた場合であっても収納キャビネット１０が前方に向けて転倒するのを防止することができる。
【００４１】
さらに、背板１６の背面が側板１２の幅方向後端よりも前側に位置するように配設し、背板１６の背面側に配線収納空間Ｓが設けられているので、ＡＶ機器の配線が外に現れず見映えを良くすることができると共に、配線が収納物に引っ掛かるのを防止することができる。また、収納キャビネット１０を壁に密着させて設置する際に配線が邪魔になる心配はない。
【００４２】
そして、側板１２の上下方向に所定の間隔で複数の取付孔２０を穿設すると共に、側板１２外表面に化粧面材２４を取付けることによって、収納部１４や背板１６を側板１２の任意の位置に容易に着脱できると共に、前記取付孔２０を収納キャビネット１０の外側から視認できないよう目隠しして収納キャビネット１０の見映えを良くすることができるようになる。また、化粧面材２４の色柄を変えることで、一種類の側板１２で各種の色柄に対応することが可能となる。
【００４３】
なお、上述の実施例では、収納キャビネット１０の収納部１４をＡＶ機器の収納に用いる場合を示したが、この収納部１４を側板１２の中段に設置し、机として活用することもできる。
【００４４】
また、側板１２の上端部を天板２８で連結する場合を示したが、この天板に替えて側板１２の上端部を収納部１４とは別の(または同じ)収納部で連結するようにしてもよい。
【００４５】
そして、上述の例では、支持脚２６と転倒防止金具３０との両方を設ける場合を示したが、支持脚２６を設けた場合には転倒防止金具３０を設けなくてもよく、逆に、転倒防止金具３０を設けた場合には支持脚２６を設けなくてもよい。さらに、収納部１４を側板１２の最下端に取付けた場合には、支持脚２６および転倒防止金具３０の両方を設けなくてもよい。
【図面の簡単な説明】
【００４６】
【図１】本発明の一実施例の収納キャビネットを示す斜視図である。
【図２】図１におけるＡ−Ａ断面図である。
【図３】図１におけるＢ−Ｂ断面図である。
【図４】本発明における収納キャビネットの使用態様の一例を示す斜視図である。
【符号の説明】
【００４７】
１０・・・収納キャビネット
１２・・・側板
１４・・・収納部
１６・・・背板
１８・・・固定部
２０・・・取付孔
２２・・・垂直片
２４・・・化粧面材
２６…支持脚
２８…天板
３０…転倒防止金具
３２…照明棚
３４…固定手段
３６…棚板
４０…ジョイナー
【図１】
2007021003.tif 000003
【図２】
2007021003.tif 000004
【図３】
2007021003.tif 000005
【図４】
2007021003.tif 000006